(57)【特許請求の範囲】
【請求項１】
収納部を有するハウジングと、前記収納部の内底面に配設された固定接点と、この固定接点と接離可能に対向して配設され、弾性変形可能な弾性片からなる可動接点と、この可動接点上に設けられ、前記可動接点を前記固定接点と接触する方向へ押圧する押圧部材とを備え、前記可動接点は、基部と、この基部から片持ち状に延設されて接点部を形成する舌片と、前記固定接点側への弾性変形を許容する第１の変形許容部と、前記舌片の延設方向に交差する方向で、前記舌片を部分的に切り欠いて切り欠き部を設けることによって形成された幅狭部と、前記切り欠き部の延設方向の前記幅狭部に位置し、前記固定接点との接触領域内で弾性変形して、前記固定接点との接触を可能とする第２の変形許容部とを有し、前記舌片と接触する前記固定接点の接点部には、前記切り欠き部の延設方向と交差する方向で、前記切り欠き部を横切るように伸びる凹溝が設けられ、前記切り欠き部に位置する前記舌片が前記凹溝を横切る状態で前記固定接点に接触するようにしたことを特徴とする押釦スイッチ。
【請求項２】
前記切り欠き部は、前記舌片の中心を挟んで対称的に２個設けられると共に、２個の前記切り欠き部間には、前記幅狭部が設けられ、２個の前記切り欠き部に位置する前記舌片のそれぞれが２個の前記固定接点に接触するようにしたことを特徴とする請求項１記載の押釦スイッチ。
【請求項３】
前記切り欠き部は、前記幅狭部側から漸次広がるようなＶ字状で形成されたことを特徴とする請求項２記載の押釦スイッチ。
【請求項４】
前記切り欠き部は、同一幅の帯状で形成されたことを特徴とする請求項２記載の押釦スイッチ。
【請求項５】
前記舌片は、前記切り欠き部の幅を広げるように設けられた円弧状凹部を有し、この円弧状凹部に位置する前記舌片が前記凹溝を横切る状態で前記固定接点に接触するようにしたことを特徴とする請求項２記載の押釦スイッチ。
【請求項６】
前記幅狭部には、前記押圧部材の下面と当接可能な凸部を設けたことを特徴とする請求項１から５の何れかに記載の押釦スイッチ。
【請求項７】
前記可動接点は、金属板から打ち抜き形成され、打ち抜きによって生じる前記可動接点の切断バリ方向が前記固定接点側になるようにしたことを特徴とする請求項１から６の何れかに記載の押釦スイッチ。
【請求項８】
前記凹溝は、一つの前記切り欠き部を横切るように複数個設けられたことを特徴とする請求項１から７の何れかに記載の押釦スイッチ。
【発明の詳細な説明】
【０００１】
【発明の属する技術分野】
本発明は、押圧されることにより可動接点が固定接点との接離を行う押釦スイッチに係り、特に車載用電子機器などに使用されて防塵対策を必要とされる押釦スイッチの構造に関する。
【０００２】
【従来の技術】
従来の押釦スイッチの図面を説明すると、図１５は従来の押釦スイッチに係り、固定接点の状態を示すハウジングの平面図、図１６は従来の押釦スイッチの可動接点の拡大平面図、図１７は従来の押釦スイッチに係り、接点間に異物が挟まった状態を示す断面図である。
【０００３】
従来の押釦スイッチの構成を図１５〜図１７に基づいて説明すると、合成樹脂の成型品からなる箱形のハウジング５１は、底壁５１ａと、この底壁５１ａから上方に伸びる筒状の側壁５１ｂと、底壁５１ａと側壁５１ｂとで囲まれ、上面が開口状態となった収納部５１ｃと、底壁５１ａの内面中央部に段差を持って設けられた凹み部５１ｄと、底壁５１ａの内面から間隔を置いて上方に突出する２対の規制部５１ｅ、５１ｆと、対向する一対の側壁５１ｂに設けられた係止部５１ｇと、規制部５１ｅ、５１ｆ間で、対向するもう一対の側壁５１ｂの内面に設けられた上下方向の凹部からなる逃げ部５１ｈとを有する。
【０００４】
導電性の金属材からなる一対の固定接点５２，５３は、それぞれ接点部５２ａ、５３と、端子部５２ｂ、５３ｂとを有し、この固定接点５２，５３は、ハウジング５１に埋設して取り付けられ、接点部５２ａ、５３ａが底壁５１ａ内の凹み部５１ｄ上に露出すると共に、端子部５２ｂ、５３ｂがハウジング５１から外方に突出している。
【０００５】
平板状の板バネを打ち抜きして形成された可動接点５４は、基部５４ａと、中空部５４ｂを設けて、基部５４ａから環状に伸びる支持部５４ｃと、基部５４ａから片持ち状に中空部５４ｂに延設された弾性変形可能な接点部からなる舌片５４ｄと、基部５４ａから舌片５４ｄと反対方向の外方に伸びる突片５４ｅとを有する。
【０００６】
そして、この可動接点５４は、底壁５１ａの内面上に載置され、突片５４ｅが一対の規制部５１ｅ間に配置されて回り止めされている。
また、可動接点５４が収納部５１ｃ内に収納された際、舌片５４ｄは、接点部５２ａ、５３ａと離間した状態で対向し、非接触状態となっていると共に、突片５４ｅの先端部は、一つの逃げ部５１ｈと近接した状態で対向した状態となっている。
【０００７】
押圧部材５５は、シリコンゴムや可撓性を有するエラストマー樹脂などでドーム状に形成されており、ドーム状部５５ａと、ドーム状部５５ａの頂部に設けられた凸部５５ｂと、ドーム状部５５ａ内に設けられた押圧部５５ｃとを有し、この押圧部材５５は、ドーム状部５５ａが反転する時にクリック感が得られるものとなっている。
【０００８】
そして、この押圧部材５５は、収納部５１ｃ内に収納され、ドーム状部５５ａの下端面が基部５４ａと支持部５４ｃを底壁５１ａに押し付けて、可動接点５４を支持している。
【０００９】
合成樹脂の成型品からなるステム５６は、平板状の操作部５６ａと、ここでは図示しないが、操作部５６ａから下方に伸びる一対の係止腕部を有する。
そして、このステム５６は、収納部５１ｃ内に挿入された係止腕部がハウジング５１の係止部５１ｇに掛け止めして取り付けられて、ステム５６は、上下動可能となって、押圧部材５５の凸部５５ｂを押圧するようになっている。
【００１０】
また、ステム５６は、成型加工される時、一対の係止腕部間に位置する操作部５６ａの側面がゲート口Ｇ２となっており、このため、このゲート口Ｇ２を切断した際、バリが生じた状態となり、このゲート口Ｇ２のバリ部分が逃げ部５１ｈに位置して、バリ部分が側壁５１ｂに擦れないようにしている。
【００１１】
このような従来の押釦スイッチは、ステム５６が押圧されると、押圧部材５５が押し下げられて反転し、この押圧部材５５の押圧部５５ｃを介して可動接点５４の舌片５４ｄが下方に押圧されて、固定接点５２，５３の接点部５２ａ、５３に接触する。
そして、固定接点５２，５３が可動接点５４を介して接続されて、一対の端子部５２ｂ、５３ｂ間が導通されるものとなる。
【００１２】
また、ステム５６の押圧を解除すると、押圧部材５５は自己の弾性により元の状態に戻るため、ステム５６は押圧部材５５によって元の状態に押し戻されると共に、可動接点５４の舌片５４ｄは自己のバネ性により戻って、接点部５２ａ、５３ａから離れ、固定接点５２，５３間が非導通状態となる。
【００１３】
【発明が解決しようとする課題】
しかしながら、上述した従来の押釦スイッチの構造においては、図１７に示すように、ステム５６が押圧されて、押圧部材５５を介して可動接点５４の舌片５４ｄが下方に押圧され、固定接点５２，５３の接点部５２ａ、５３ａと接触する時に、塵埃などの異物Ｚが接点部５２ａ、５３ａ上に挟まった場合、舌片５４ｄと接点部５２ａ、５３ａ同士が離間した状態となり導通不良になるという問題があった。
【００１４】
そこで、本発明は、固定接点上に塵埃などの異物が挟まった場合であっても、確実に導通させることができる押釦スイッチを提供することを目的とする。
【００１５】
【課題を解決するための手段】
上記課題を解決するために本発明では第１の手段として、収納部を有するハウジングと、前記収納部の内底面に配設された固定接点と、この固定接点と接離可能に対向して配設され、弾性変形可能な弾性片からなる可動接点と、この可動接点上に設けられ、前記可動接点を前記固定接点と接触する方向へ押圧する押圧部材とを備え、前記可動接点は、基部と、この基部から片持ち状に延設されて接点部を形成する舌片と、前記固定接点側への弾性変形を許容する第１の変形許容部と、前記舌片の延設方向に交差する方向で、前記舌片を部分的に切り欠いて切り欠き部を設けることによって形成された幅狭部と、前記切り欠き部の延設方向の前記幅狭部に位置し、前記固定接点との接触領域内で弾性変形して、前記固定接点との接触を可能とする第２の変形許容部とを有し、前記舌片と接触する前記固定接点の接点部には、前記切り欠き部の延設方向と交差する方向で、前記切り欠き部を横切るように伸びる凹溝が設けられ、前記切り欠き部に位置する前記舌片が前記凹溝を横切る状態で前記固定接点に接触するようにした構成とした。
【００１６】
また、第２の解決手段として、前記切り欠き部は、前記舌片の中心を挟んで対称的に２個設けられると共に、２個の前記切り欠き部間には、前記幅狭部が設けられ、２個の前記切り欠き部に位置する前記舌片のそれぞれが２個の前記固定接点に接触するようにした構成とした。
【００１７】
また、第３の解決手段として、前記切り欠き部は、前記幅狭部側から漸次広がるようなＶ字状で形成された構成とした。
また、第４の解決手段として、前記切り欠き部は、同一幅の帯状で形成された構成とした。
【００１８】
また、第５の解決手段として、前記舌片は、前記切り欠き部の幅を広げるように設けられた円弧状凹部を有し、この円弧状凹部に位置する前記舌片が前記凹溝を横切る状態で前記固定接点に接触するようにした構成とした。
また、第６の解決手段として、前記幅狭部には、前記押圧部材の下面と当接可能な凸部を設けた構成とした。
【００１９】
また、第７の解決手段として、前記可動接点は、金属板から打ち抜き形成され、打ち抜きによって生じる前記可動接点の切断バリ方向が前記固定接点側になるようにした構成とした。
また、第８の解決手段として、前記凹溝は、一つの前記切り欠き部を横切るように複数個設けられた構成とした。
【００２０】
【発明の実施の形態】
本発明の押釦スイッチの図面を説明すると、図１は本発明の押釦スイッチの第１実施例に係る縦断面図、図２は本発明の押釦スイッチの第１実施例に係り、ステムを除いた状態の平面図、図３は本発明の押釦スイッチの第１実施例に係るハウジングの平面図、図４は本発明の押釦スイッチの第１実施例に係り、ステムと押圧部材を除いた状態の平面図である。
【００２１】
また、図５は本発明の押釦スイッチの第１実施例に係り、可動接点と固定接点の状態を示す要部拡大平面図、図６は本発明の押釦スイッチの第１実施例に係る可動接点の拡大平面図、図７は本発明の押釦スイッチの第１実施例に係り、ハウジングと可動接点の関係を示す要部拡大斜視図である。
【００２２】
また、図８は本発明の押釦スイッチの第１実施例に係る動作説明図、図９は本発明の押釦スイッチの第１実施例に係り、動作時における要部拡大説明図、図１０は本発明の押釦スイッチの第２実施例に係る可動接点の拡大平面図、図１１は本発明の押釦スイッチの第３実施例に係る可動接点の拡大平面図、図１２は図１１の１２−１２線における断面図である。
【００２３】
また、図１３は本発明の押釦スイッチに係り、ハウジングの製造方法を説明するための第１工程を示す説明図、図１４は本発明の押釦スイッチに係り、ハウジングの製造方法を説明するための第２工程を示す説明図である。
【００２４】
次に、本発明の押釦スイッチの第１実施例の構成を図１〜図９に基づいて説明すると、合成樹脂の成型品からなる箱形のハウジング１は、底壁１ａと、この底壁１ａから上方に伸びる筒状の側壁１ｂと、底壁１ａと側壁１ｂとで囲まれ、上面が開口状態となった収納部１ｃと、底壁１ａの内面中央部に段差を持って設けられた凹み部１ｄと、底壁１ａの内面から間隔を置いて上方に突出する２対の規制部１ｅ、１ｆと、対向する一対の側壁１ｂに設けられた係止部１ｇと、規制部１ｅ、１ｆ間で、対向するもう一対の側壁１ｂの内面に設けられた上下方向の凹部からなる逃げ部１ｈと、一対のそれぞれの規制部１ｅ、１ｆ間に位置し、逃げ部１ｈの近傍で底壁１ａの内面に設けられた凹部１ｊとを有する。
【００２５】
導電性の金属材からなる一対の固定接点２，３は、それぞれ接点部２ａ、３ａと、端子部２ｂ、３ｂと、接点部２ａ、３ａの表面に設けられた凹溝２ｃ、３ｃとをを有する。
また、凹溝２ｃ、３ｃは、凹み、切り欠き、或いは切り起こし等によって形成されていると共に、この凹溝２ｃ、３ｃは、複数個並設して設けても良い。
そして、この固定接点２，３は、ハウジング１に埋設して取り付けられ、接点部２ａ、３ａが底壁１ａ内の凹み部１ｄ上に露出すると共に、端子部２ｂ、３ｂがハウジング１から外方に突出している。
【００２６】
次に、固定接点２，３を埋設したハウジング１の製造方法を図１３，図１４に基づいて説明すると、図１３の第１工程に示すように、第１の成型金型２１には凹部２１ａが設けられると共に、第２の成型金型２２には、凹部２１ａ内に突入する凸部２２ａが設けられ、この凸部２２ａと凹部２１ａとの間には、樹脂の注入可能なキャビティー２３が形成されている。
【００２７】
また、第２の成型金型２２には、２個の押し出しピン２４が移動可能に取り付けられており、この押し出しピン２４の先端部が第２の成型金型２２の凹部１ｊを形成するための突起２２ｂの底面と面一状態となっている。
このような図１３の状態で、ゲート口２５から溶けた樹脂をキャビティ２３内に注入する。
【００２８】
そして、樹脂が固まると、図１４の第２工程に示すように、先ず、第１の成型金型２１を外し、次に、押し出しピン２４で、第２の成型金型２２からハウジング１を押し出して、第２の成型金型２２からハウジング１を取り出すと、図３に示すように、固定接点２，３が埋設され、且つ、底壁１ａの内底面には、突起２２ｂによって凹部１ｊが存在した状態で、ハウジング１が製造される。
【００２９】
また、第２の成型金型２２からハウジング１が押し出される際、押し出しピン２４の先端が第２の成型金型２２のガイド孔と擦れ、押し出しピン２４とガイド孔間に摩耗によって生じる隙間にバリが生じても、このバリが凹部１ｊの底部に位置すると共に、衝撃や振動等によってバリが剥がれて合成樹脂の粉となっても、この粉は、凹部１ｊ内に留まって、固定接点２，３の接点部２ａ、３ａ側に移行することが無くなる。
【００３０】
平板状の板バネを打ち抜きして形成された可動接点４は、基部４ａと、中空部４ｂを設けて、基部４ａから環状に伸びる支持部４ｃと、基部４ａから片持ち状に中空部４ｂに延設された弾性変形可能な接点部からなる舌片４ｄと、この舌片４ｄの延設方向に交差する方向で、舌片４ｄの中心を挟んで対称的に、舌片４ｄを部分的に切り欠いて設けられたＶ字状の２個の切り欠き部４ｅと、この切り欠き部４ｅによって形成され、舌片４ｄの中央部に位置する幅狭部４ｆと、この幅狭部４ｆの中央部に設けられた凸部４ｇと、基部４ａから舌片４ｄと反対方向の外方に伸びる突片４ｈと、舌片４ｄを挟んで突片４ｈと反対方向に支持部４ｃから外方に突出する突片４ｊと、基部４ａと舌片４ｄを繋ぐ連結部４ｋに設けられた孔４ｍとを有する。
【００３１】
そして、この可動接点４は、底壁１ａの内面上に載置され、突片４ｈ、４ｊが一対の規制部１ｅ、１ｆ間に配置されて回り止めされると共に、環状の支持部４ｃの外周は、規制部１ｅ、１ｆの内周でガイドされて位置決めされている。
可動接点４が収納部１ｃ内に収納された際、舌片４ｄは、接点部２ａ、３ａと離間した状態で対向し、非接触状態となっていると共に、突片４ｈ、４ｊの先端部は、逃げ部１ｈと近接した状態で対向した状態となっている。
この時、可動接点４は、打ち抜きによって生じる可動接点４の切断バリ方向が固定接点２，３側になるように配置されている。
【００３２】
また、底壁１ａの内面上に載置された可動接点４は、突片４ｈが底壁１ａに設けられた凹部１ｊ上に位置して、凹部１ｊの一部、或いは全部を覆うようになっている。
更に、可動接点４が収納部１ｃ内に収納された際、舌片４ｄの切り欠き部４ｅは、固定接点２，３の凹溝２ｃ、３ｃを横切るように配置されている。
即ち、固定接点２，３の接点部２ａ、３ａに設けられた凹溝２ｃ、３ｃは、切り欠き部４ｅの延設方向と交差する方向で、切り欠き部４ｅを横切るように配置されている。
【００３３】
そして、可動接点４は、接点部である舌片４ｄが固定接点２，３側に押圧されて動作するが、この時、連結部４ｋには、固定接点２，３側への弾性変形を許容するために第１の変形許容部４ｎが存在し、また、舌片４ｄが固定接点２，３に接触した後の押圧動作を許容するために、切り欠き部４ｅの延設方向の幅狭部４ｆに位置し、固定接点２，３の接触領域内で弾性変形して、固定接点２，３との接触を可能とする第２の変形許容部４ｐが存在する。
【００３４】
押圧部材５は、シリコンゴムや可撓性を有するエラストマー樹脂などでドーム状に形成されており、ドーム状部５ａと、ドーム状部５ａの頂部に設けられた凸部５ｂと、ドーム状部５ａ内に設けられた押圧部５ｃとを有し、この押圧部材５は、ドーム状部５ａが反転する時にクリック感が得られるものとなっている。
【００３５】
そして、この押圧部材５は、収納部１ｃ内に収納され、ドーム状部５ａの下端面が基部４ａと支持部４ｃを底壁１ａに押し付けて、可動接点４を支持している。
この時、ドーム状部５ａの裾部の外周は、規制部１ｅ、１ｆの内周でガイドされて位置決めされると共に、押圧部５ｃは、可動接点４の切断バリの存在しない側の凸部４ｇを押圧可能となっている。
【００３６】
合成樹脂の成型品からなるステム６は、平板状の操作部６ａと、ここでは図示しないが、操作部６ａから下方に伸びる一対の係止腕部を有する。
そして、このステム６は、収納部１ｃ内に挿入された係止腕部がハウジング１の係止部１ｇに掛け止めして取り付けられて、ステム６は、上下動可能となって、押圧部材５の凸部５ｂを押圧するようになっている。
【００３７】
また、ステム６は、成型加工される時、一対の係止腕部間に位置する操作部６ａの側面がゲート口Ｇ１となっており、このため、このゲート口Ｇ１を切断した際、バリが生じた状態となり、このゲート口Ｇ１のバリ部分が逃げ部１ｈに位置して、バリ部分が側壁１ｂに擦れないようにしている。
【００３８】
次に、このような構成を有する本発明の押釦スイッチの動作を説明すると、図１に示すように、ステム６が非押圧操作状態では、可動接点４の舌片４ｄは第１の変形許容部４ｎにより上方に折り曲げられた状態となって、固定接点２、３とは離間した状態となっており、スイッチはオフ状態となっている。
【００３９】
この状態から、ステム６が指などで押圧操作されると、ステム６の操作部６ａによって押圧部材５の凸部５ｂが押圧され、凸部５ｂが下方に押し下げられるのに伴って薄肉状のドーム状部５ａが撓むことにより反転して、押圧部５ｃが可動接点４の舌片４ｄの上面側の凸部４ｇに当接する。
この時、ドーム状部５ａが反転することにより操作時のクリック感が有られる。
【００４０】
そして、押圧部５ｃが可動接点４の舌片４ｄを下方へ押圧することにより第１の変形許容部４ｎが弾性変形して、舌片４ｄが押し下げられるものとなる。
この時、舌片４ｄが下方へ押圧されることで、可動接点４は、舌片４ｄの下面が固定接点２，３の接点部２ａ、３ａと接触し、固定接点２、３とが可動接点４を介して導通されてスイッチはオン状態となる。
【００４１】
この状態から、ステム６への押圧力を解除すると、押圧部材５のドーム状部５ａが自身の弾性で反転して初期の状態に復帰すると共に、この際の付勢力によってステム６が上方へ押圧されて初期位置へと復帰するものとなる。
この時、可動接点４の舌片４ｄも第１の変形許容部４ｎの弾性で上方へと復帰し、舌片４ｄの下面が固定接点２、３から離間するものとなりスイッチはオフ状態となる。
【００４２】
次に、接点間に塵埃などの異物が挟まった場合について図８，図９を用いて説明する。
図９は、固定接点２，３の接点部２ａ、３ａと、可動接点４との間に塵埃などの異物Ｚが挟まった状態を示している。
この場合、異物Ｚが挟まった箇所の固定接点２、３と、可動接点４の舌片４ｄとは離間しているが、舌片４ｄは、押圧部材５の押圧部５ｃの押圧力により凸部４ｇが押圧された状態となっている。
【００４３】
そして、可動接点４は、舌片４ｄの突部４ｇが形成された幅狭部４ｆである第２の変形許容部４ｐが、押圧部５ｃの押圧力によって弾性変形することとなり、舌片４ｄの自由端側が下方に付勢されることで固定接点２，３の接点部２ａ、３ａと接触した状態となり、スイッチはオン状態となる。
【００４４】
このように、ハウジング１の収納部１ａ内に、塵埃などの異物Ｚが侵入して、接点部２ａ、３ａと、可動接点４との間に塵埃などの異物Ｚが挟まった場合においても、舌片４ｄには、押圧部材５により押圧された際に、接点部２ａ、３ａ側へ弾性変形する第１の変形許容部４ｎの他に、固定接点２，３との接触領域内で弾性変形して固定接点２、３との接触を可能とする第２の変形許容部４ｐを形成してあるので、確実に接点間を導通させることができるものとなっている。
【００４５】
また、この場合、塵埃などの異物Ｚが、例え、舌片４ｄの第２の変形許容部４ｐの直下に挟まれたとしても、舌片４ｄと接触する接点部２ａ、３ａの接触面には、第２の変形許容部４ｐ、及び切り欠き部４ｅの延設方向と交差する方向に設けられたＶ溝状の凹溝２ｃ、３ｃが設けられているので、この凹溝２ｃ、３ｃ内部へ異物Ｚが落ち込むことから、第２の変形許容部４ｐの弾性変形を妨げることがなく導通不良を防止できるものとなっている。
【００４６】
更に、舌片４ｄの切り欠き部４ｅと接点部２ａ、３ａの凹溝２ｃ、３ｃは、互いに交差しているため、舌片４ｄが接点部２ａ、３ａに押し付けられて弾性変形した際、凹溝２ｃ、３ｃに対する切り欠き部４ｅの位置が順次移行、即ち、両者間で摺動動作が行われ、その間に、異物Ｚが凹溝２ｃ、３内に確実に落ち込ますことができる。
【００４７】
また、可動接点４の舌片４ｄに第２の変形許容部４ｐを形成し、固定接点２、３との接触領域内で弾性変形可能に形成したことから、接点部２ａ、３ａの接触面は、必ずしも接触が安定した平面状の金属板で形成する必要が無く、固定接点２，３側の形状を単純にすることができるので丸状の金属線材（丸線材）を使用することも可能となっている。
【００４８】
そして、押釦スイッチにおけるハウジング１は、係止部１ｇ側においてはステム６の係止腕部で塞がれているため、その間での収納部１ｃ内への塵埃等の異物の侵入が少なく、また、逃げ部１ｈと係止部１ｇとの間においては規制部１ｅ、１ｆが存在するため、その間から収納部１ｃ内に侵入した異物は、規制部１ｅ、１ｆによって、接点部２ａ、３ａへの移行が阻止され、更に、逃げ部１ｈにおいては近傍に設けられた凹部１ｊの存在によって、逃げ部１ｈから収納部１ｃ内に侵入した異物は、凹部１ｊに溜められて、接点部２ａ、３ａへの移行が阻止されるようになる。
【００４９】
次に、本発明の押釦スイッチの第２実施例を図１０に基づいて説明すると、可動接点４の舌片４ｄに設けた切り欠き部４ｅが同一幅の帯状で形成されたものである。
その他の構成は、前記第１実施例と同様であるので、同一部品に同一番号を付し、ここでは説明を省略する。
【００５０】
次に、本発明の押釦スイッチの第３実施例を図１１に基づいて説明すると、可動接点４の舌片４ｄに設けた切り欠き部４ｅが同一幅の帯状で形成されると共に、この切り欠き部４ｅの幅を広げるように設けられた円弧状凹部４ｑを有し、この円弧状凹部４ｑに位置する舌片４ｄが凹溝２ｃ、３ｃを横切る状態で固定接点２，３に接触するようにしたものである。
【００５１】
また、可動接点４は、連結部４ｋの根本部が突き出し加工によって下方に突き出されて、この突き出し部が第１の変形許容部４ｎとなると共に、この第１の変形許容部４ｎを基準として、舌片４ｄが上方に持ち上げられた状態となっている。
そのため、舌片４ｄが接点部２ａ、３ａにほぼ平行に接触することが可能となっている。
その他の構成は、前記第２実施例と同様であるので、同一部品に同一番号を付し、ここでは説明を省略する。
【００５２】
なお、上記第１，第２の実施例では、可動接点４に孔４ｍを設けて、押圧時に支持部４ｃが持ち上がるのを防止すると共に、舌片４ｄの捻れを抑制して安定した接触を可能としているが、第３実施例のように、孔４ｍを設けずに形成することも可能である。
【００５３】
【発明の効果】
本発明の押釦スイッチは、収納部を有するハウジングと、収納部の内底面に配設された固定接点と、この固定接点と接離可能に対向して配設され、弾性変形可能な弾性片からなる可動接点と、この可動接点上に設けられ、可動接点を固定接点と接触する方向へ押圧する押圧部材とを備え、可動接点は、基部と、この基部から片持ち状に延設されて接点部を形成する舌片と、固定接点側への弾性変形を許容する第１の変形許容部と、舌片の延設方向に交差する方向で、舌片を部分的に切り欠いて切り欠き部を設けることによって形成された幅狭部と、切り欠き部の延設方向の幅狭部に位置し、固定接点との接触領域内で弾性変形して、固定接点との接触を可能とする第２の変形許容部とを有し、舌片と接触する固定接点の接点部には、切り欠き部の延設方向と交差する方向で、切り欠き部を横切るように伸びる凹溝が設けられ、切り欠き部に位置する舌片が凹溝を横切る状態で固定接点に接触するようにした構成とした。
このような構成によって、固定接点上に塵埃などの異物が挟まった場合であっても、第２の変形許容部によって可動接点が固定接点との接触領域内で弾性変形し、且つ、切り欠き部に位置する舌片が凹溝を横切る状態で固定接点に接触するようにしたため、可動接点の固定接点への接触を確実にできる。
また、固定接点側の構造を簡易にできるため、固定接点を丸線材などの安価な材料で形成することが可能となる。
【００５４】
また、切り欠き部は、舌片の中心を挟んで対称的に２個設けられると共に、２個の切り欠き部間には、幅狭部が設けられ、２個の前記切り欠き部に位置する舌片のそれぞれが２個の固定接点に接触するようにしたため、２個の固定接点への可動接点の接触の確実なものが得られる。
【００５５】
また、切り欠き部は、幅狭部側から漸次広がるようなＶ字状で形成されたため、切り欠き部を形成するためのパンチの肉厚を大きくできて、その寿命を長くできると共に、凹溝に対してＶ字状の切り欠き部が斜め状態で接触できて、可動接点と固定接点の接触状態が長く、安定した接触が得られる。
【００５６】
また、切り欠き部は、同一幅の帯状で形成されたため、切り欠き部を形成するためのパンチを簡素化できて、安価で、生産性良いものが得られる。
【００５７】
また、舌片は、切り欠き部の幅を広げるように設けられた円弧状凹部を有し、この円弧状凹部に位置する舌片が凹溝を横切る状態で固定接点に接触ようにしたため、切り欠き部を形成するためのパンチの肉厚が円弧状凹部の部分で大きくできて、その寿命を長くできると共に、凹溝に対して円弧状凹部の切り欠き部が接触できて、可動接点と固定接点の接触状態が長く、安定した接触が得られる。
【００５８】
また、幅狭部には、押圧部材の下面と当接可能な凸部を設けたため、凸部を介して第２の変形許容部が押圧されるので、弾性変形が容易となり確実に導通させることができる。
【００５９】
また、可動接点は、金属板から打ち抜き形成され、打ち抜きによって生じる可動接点の切断バリ方向が固定接点側になるようにしたため、バリによって、押圧部材の押圧部が削れることが無く、従って、長期に亘って、操作の確実なものが得られる。
【００６０】
また、凹溝は、一つの切り欠き部を横切りように複数個設けられたため、複数個の凹溝に可動接点が接触できて、接触の安定したものが得られる。
【図面の簡単な説明】
【図１】本発明の押釦スイッチの第１実施例に係る縦断面図。
【図２】本発明の押釦スイッチの第１実施例に係り、ステムを除いた状態の平面図。
【図３】本発明の押釦スイッチの第１実施例に係るハウジングの平面図。
【図４】本発明の押釦スイッチの第１実施例に係り、ステムと押圧部材を除いた状態の平面図。
【図５】本発明の押釦スイッチの第１実施例に係り、可動接点と固定接点の状態を示す要部拡大平面図。
【図６】本発明の押釦スイッチの第１実施例に係る可動接点の拡大平面図。
【図７】本発明の押釦スイッチの第１実施例に係り、ハウジングと可動接点の関係を示す要部拡大斜視図。
【図８】本発明の押釦スイッチの第１実施例に係る動作説明図。
【図９】本発明の押釦スイッチの第１実施例に係り、動作時における要部拡大説明図。
【図１０】本発明の押釦スイッチの第２実施例に係る可動接点の拡大平面図。
【図１１】本発明の押釦スイッチの第３実施例に係る可動接点の拡大平面図。
【図１２】図１１の１２−１２線における断面図。
【図１３】本発明の押釦スイッチに係り、ハウジングの製造方法を説明するための第１工程を示す説明図。
【図１４】本発明の押釦スイッチに係り、ハウジングの製造方法を説明するための第２工程を示す説明図。
【図１５】従来の押釦スイッチに係り、固定接点の状態を示すハウジングの平面図。
【図１６】従来の押釦スイッチの可動接点の拡大平面図。
【図１７】従来の押釦スイッチに係り、接点間に異物が挟まった状態を示す断面図。
【符号の説明】
１  ハウジング
１ａ  底壁
１ｂ  側壁
１ｃ  収納部
１ｄ  凹み部
１ｅ  規制部
１ｆ  規制部
１ｇ  係止部
１ｈ  逃げ部
１ｊ  凹部
２  固定接点
２ａ  接点部
２ｂ  端子部
２ｃ  凹溝
３  固定接点
３ａ  接点部
３ｂ  端子部
３ｃ  凹溝
４  可動接点
４ａ  基部
４ｂ  中空部
４ｃ  支持片
４ｄ  舌片
４ｅ  切り欠き部
４ｆ  幅狭部
４ｇ  凸部
４ｈ  突片
４ｊ  突片
４ｋ  連結部
４ｍ  孔
４ｎ  第１の変形許容部
４ｐ  第２の変形許容部
４ｑ  円弧状凹部
５  凹圧部材
５ａ  ドーム状部
５ｂ  凸部
５ｃ  押圧部
６  ステム
６ａ  操作部
Ｇ１  ゲート口
Ｚ  異物
２１  第１の成型金型
２１ａ  凹部
２２  第２の成型金型
２２ａ  凸部
２２ｂ  突起
２３  キャビティ
２４  押し出しピン
２５  ゲート口
【図１】
0004105460.tif 000002
【図２】
0004105460.tif 000003
【図３】
0004105460.tif 000004
【図４】
0004105460.tif 000005
【図５】
0004105460.tif 000006
【図６】
0004105460.tif 000007
【図７】
0004105460.tif 000008
【図８】
0004105460.tif 000009
【図９】
0004105460.tif 000010
【図１０】
0004105460.tif 000011
【図１１】
0004105460.tif 000012
【図１２】
0004105460.tif 000013
【図１３】
0004105460.tif 000014
【図１４】
0004105460.tif 000015
【図１５】
0004105460.tif 000016
【図１６】
0004105460.tif 000017
【図１７】
0004105460.tif 000018